(57)【要約】【課題】多様な形状のプラグに対応できる機能性と、複数のコネクタに対応するカバー外縁部の線を少なくできるデザイン性とを兼ね備えることができるようにする。【解決手段】コネクタカバー１は、取付部１２が携帯電話機２に取り付けられた状態で、カバー本体１１が２つのコネクタを被装する閉状態と、カバー本体１１全体が開口されて２つのコネクタを使用可能状態とする開状態とにできるようになっている。換言すれば、取付部１２は、上記の開状態と閉状態とに変形可能となっている。【選択図】図１
2009076360.tif 000002
【特許請求の範囲】
【請求項１】
複数のコネクタを被装できるカバー本体と、
前記コネクタを有する装置に前記カバー本体を取り付ける取付部と、を備え、
前記取付部は、当該取付部が前記装置に取り付けられた状態で、前記カバー本体が前記コネクタを被装する閉状態と、前記カバー本体が前記コネクタを被装しない開状態とにできるよう変形可能に構成されたことを特徴とするコネクタカバー。
【請求項２】
前記カバー本体は、
前記コネクタを被装する被装部分と、
折り曲げ部と、
前記折り曲げ部を介して前記被装部分を支持する支持部分と、を備えて構成され、
前記取付部は、前記支持部分に連接して設けられたことを特徴とする請求項１記載のコネクタカバー。
【請求項３】
前記カバー本体は、前記取付部が前記装置に取り付けられ、前記折り曲げ部で前記被装部分が折り曲げられた折り曲げ状態で、該被装部分により被装される前記コネクタに当該コネクタ用のプラグを接続可能であるように構成されたことを特徴とする請求項２記載のコネクタカバー。
【請求項４】
前記カバー本体が被装する前記コネクタは２つであり、該２つのコネクタそれぞれを被装する２つの前記被装部分は、前記折り曲げ状態で、前記２つのコネクタ用のプラグそれぞれを同時に接続可能に構成されたことを特徴とする請求項３記載のコネクタカバー。
【請求項５】
前記取付部は、当該取付部が前記装置に取り付けられた前記開状態で、前記複数のコネクタに当該コネクタ用のプラグそれぞれを同時に接続可能であるように構成されたことを特徴とする請求項１から４の何れか１項に記載のコネクタカバー。
【請求項６】
請求項１から５の何れか１項に記載のコネクタカバーを備えて構成されたことを特徴とする携帯端末装置。
【発明の詳細な説明】
【技術分野】
【０００１】
本発明は、例えば携帯電話機などのコネクタ（connector）を被装するコネクタカバーおよび携帯端末装置に関する。
【背景技術】
【０００２】
近年、携帯電話機などの携帯端末装置は急速に普及し、それに伴い、小型、軽量薄型化が進み、かつコスト競争が激化している。そうした中で、特にデザイン面で他社製品と差別化を図り、商品価値を高めることが重要視されている。
【０００３】
こうした一般的な携帯端末におけるコネクタカバーの構成を、図１８〜図２１に示す。図１８は６面図、図１９は斜視図、図２０、図２１は携帯電話機への実装図である。
このように、それぞれのコネクタに対してコネクタカバーが設けられて構成される。
【０００４】
また、本発明の関連技術として、携帯用端末装置の電話回線差し込み口に、その差し込み口と略同等の大きさの平板からなるカバーを開閉自在に設けたものがある（例えば、特許文献１参照）。
【０００５】
また、他の関連技術として、コネクタ装着部に複数のコネクタを備え、コネクタカバーがそのコネクタの嵌合部をそれぞれ独立して覆う複数個のカバー部を有し、それぞれのカバー部が連結部から片持ち状に連ねられて構成されたものがある（例えば、特許文献２参照）。
【特許文献１】実開平２−１２０９５３号公報
【特許文献２】特開２００５−４４６３３号公報
【発明の開示】
【発明が解決しようとする課題】
【０００６】
しかしながら、上述した図１８〜図２１に示す構成例では、それぞれのコネクタに対してコネクタカバーを設ける構成であるため、パーツ数が多くなり、従ってパーツ外縁部の線が多くなり、デザイン性の向上にはさらなる改善が求められるものであった。
【０００７】
また、上述した特許文献１のものは、カバーが差し込み口と略同等の大きさの平板であるため、多様な形状のプラグに対応させるという機能性についてまで考慮されたものではなかった。
また、個々の差し込み口にそれぞれカバーを設けたものであり、パーツを少なくすることでのデザイン性の向上についてまで考慮されたものではなかった。
【０００８】
また、引用文献２のものは、複数のカバー部が連結部から片持ち状に連ねられた構成であり、プラグの大きさや差し込み方向が異なるものなど、多様な形状のプラグに対応させるという機能性についてまで考慮されたものではなかった。
また、個々のコネクタの嵌合部にそれぞれカバー部を設けたものであり、パーツ外縁部の線を少なくすることによるデザイン性の向上についてまで考慮されたものではなかった。
【０００９】
本発明はこのような状況に鑑みてなされたものであり、多様な形状のプラグに対応できる機能性と、複数のコネクタに対応するカバー外縁部の線を少なくできるデザイン性とを兼ね備えることができるコネクタカバーおよび携帯端末装置を提供することを目的とする。
【課題を解決するための手段】
【００１０】
かかる目的を達成するために、本発明に係るコネクタカバーは、複数のコネクタを被装できるカバー本体と、上記コネクタを有する装置に上記カバー本体を取り付ける取付部と、を備え、上記取付部は、当該取付部が上記装置に取り付けられた状態で、上記カバー本体が上記コネクタを被装する閉状態と、上記カバー本体が上記コネクタを被装しない開状態とにできるよう変形可能に構成されたことを特徴とする。
【００１１】
また、本発明に係る携帯端末装置は、上述した本発明に係るコネクタカバーを備えて構成されたことを特徴とする。
【発明の効果】
【００１２】
以上のように、本発明によれば、コネクタカバーについて、多様な形状のプラグに対応できる機能性と、複数のコネクタに対応するカバー外縁部の線を少なくできるデザイン性とを兼ね備えることができる。
【発明を実施するための最良の形態】
【００１３】
次に、本発明に係るコネクタカバーおよび携帯端末装置を適用した一実施形態について、図面を用いて詳細に説明する。
まず、本実施形態の概略について説明する。
【００１４】
本実施形態としてのコネクタカバーは、ＩＯ（input-output）カバーとＨＪ（headphone jack）カバーとが一体構造とされており、何れかを単独で使用することもできると共に、両方同時に使用することもできるようになっている。さらに、単独で使用した場合でも両方同時に使用した場合でも、プラグをコネクタに挿入して使用する時に、カバーがじゃまにならない構造となっている。
【００１５】
また、それぞれのコネクタを被装するカバーを一体構造としたことで、小さなスペースでの実装が可能となっている。さらに、カバーが１つになることでパーツ数が削減され、カバー外縁部の線を少なくでき、デザイン性を向上させることもできるようになっているものである。
【００１６】
次に、本実施形態の構成について、図面を用いて詳細に説明する。
図１は、本実施形態としてのコネクタカバー１の６面図、図２はコネクタカバー１の斜視図、図３は携帯電話機への実装例を示す図である。
【００１７】
コネクタカバー１は、図１、図２に示すように、ＩＯコネクタおよびＨＪコネクタの２つのコネクタを被装できるカバー本体１１と、携帯電話機２に取り付けるための取付部１２とを備える。
【００１８】
また、カバー本体１１は、ＩＯコネクタを被装するＩＯ被装部１１１（第１の被装部分）がＩＯ折り曲げ部１１２（第１の折り曲げ部）を介して支持部分１１３に連接して設けられると共に、ＨＪコネクタを被装するＨＪ被装部１１５（第２の被装部分）がＨＪ折り曲げ部１１４（第２の折り曲げ部）を介して支持部分１１３に連接して設けられて構成される。
上記の取付部１２は、この支持部分１１３に連接して設けられる。
【００１９】
このように、本実施形態のコネクタカバー１は、ＩＯコネクタおよびＨＪコネクタの２つのコネクタを被装するカバーを一体構造とした構成であっても、コネクタカバー１の中央部付近にＩＯ折り曲げ部１１２およびＨＪ折り曲げ部１１４というくびれ部分が設けられている。
このため、ＩＯコネクタのみ、あるいはＨＪコネクタのみで使用することも可能となっている。
【００２０】
コネクタカバー１の材料として、例えば熱可塑性エラストマーなどを用いることができる。このことにより、ＩＯ折り曲げ部１１２およびＨＪ折り曲げ部１１４というくびれ部分では折り曲げることができ、所定の厚みを持たせた他の部分では、コネクタの被装や、ＩＯ被装部１１１およびＨＪ被装部１１５を支持するといった機能を実現するための所定の強度を保持できるようになっている。
【００２１】
取付部１２は、携帯電話機２の嵌め込み孔に、先端の大きくなった係止部分を嵌め込むことができるようになっている。このように取付部１２が携帯電話機２に嵌め込まれることで、コネクタカバー１は、容易に抜けてしまうことのないように携帯電話機２に取り付けできるようになっている。
【００２２】
次に、本実施形態としてのコネクタカバー１が携帯電話機２に取り付けられた場合の使用例について説明する。
図４、図５、図６に、ＩＯコネクタのみ使用時の、正面図、斜視図（プラグなし）、斜視図（プラグあり）を示す。また、図７、図８、図９に、ＨＪコネクタのみ使用時の、正面図、斜視図（プラグなし）、斜視図（プラグあり）を示す。
【００２３】
このように、取付部１２が携帯電話機２に取り付けられ、ＩＯ折り曲げ部１１２でＩＯ被装部１１１が折り曲げられた折り曲げ状態で、ＩＯ被装部１１１により被装されるＩＯコネクタに、ＩＯコネクタ用のＩＯプラグを接続して使用できるようになっている。
このため、ＩＯ折り曲げ部１１２でＩＯ被装部１１１が折り曲げられた状態であっても、カバー本体１１の他の部分、すなわち支持部分１１３やＨＪ被装部１１５が携帯電話機２の凹部から外れないように嵌め込まれ、カバー本体１１全体として使用の邪魔にならないようになっている。
【００２４】
また、取付部１２が携帯電話機２に取り付けられ、ＨＪ折り曲げ部１１４でＨＪ被装部１１５が折り曲げられた折り曲げ状態で、ＨＪ被装部１１５により被装されるＨＪコネクタに、ＨＪコネクタ用のＨＪプラグを接続して使用できるようになっている。
このため、ＨＪ折り曲げ部１１４でＨＪ被装部１１５が折り曲げられた状態であっても、カバー本体１１の他の部分、すなわち支持部分１１３やＩＯ被装部１１１が携帯電話機２の凹部から外れないように嵌め込まれ、カバー本体１１全体として使用の邪魔にならないようになっている。
【００２５】
このように、カバー本体１１が被装するそれぞれのコネクタについて、例えばＵＳＢコネクタならＵＳＢプラグなど、そのコネクタに接続可能に構成されたそのコネクタ用の各種のプラグを接続可能であるように構成されている。さらに、そうしてプラグが接続されて使用される際に、カバー本体１１の他の部分が使用の邪魔にならないように構成され、機能性とデザイン性を兼ね備えるようになっている。
【００２６】
図１０、図１１、図１２に、ＩＯコネクタとＨＪコネクタを同時に使用したときの、正面図、斜視図（プラグなし）、斜視図（プラグあり）を示す。
このように、ＩＯ被装部１１１およびＨＪ被装部１１５は、両方とも折り曲げ部で折り曲げられた折り曲げ状態とすることができる。このため、両方とも折り曲げ部で折り曲げられることで、ＩＯプラグとＨＪプラグの両方を同時に接続可能となっている。
【００２７】
このため、ＩＯ折り曲げ部１１２でＩＯ被装部１１１が折り曲げられると共に、ＨＪ折り曲げ部１１４でＨＪ被装部１１５が折り曲げられた状態であっても、カバー本体１１の他の部分、すなわち支持部分１１３が携帯電話機２の凹部から外れないように嵌め込まれ、カバー本体１１全体として使用の邪魔にならないようになっている。
【００２８】
また、図１３、図１４、図１５に示すように、カバー本体１１全体を開口させることで、ＩＯコネクタとＨＪコネクタとを同時に使用することができるようになっている。
このように、本実施形態としてのコネクタカバー１は、取付部１２が携帯電話機２に取り付けられた状態で、カバー本体１１が２つのコネクタを被装する閉状態と、カバー本体１１全体が開口されて２つのコネクタを使用可能状態とする開状態とにできるようになっている。換言すれば、取付部１２は、上記の開状態と閉状態とに変形可能となっている。
【００２９】
以上のように、本実施形態によるコネクタカバー１では、コネクタに嵌め込んで使用されるプラグの形状、大きさ、プラグのコードが設けられた方向などに応じて、コネクタカバー１の開口方法を使い分けることができる。
そのため、様々な形状のプラグに対しても、それぞれのプラグに対して最適で、使用にも邪魔にならない開口方法になるよう、ユーザが使い分けることができる。
【００３０】
図１６、図１７は、コネクタカバー１なし、有りの状態を示す携帯電話機２の斜視図である。
このように、上述した本実施形態としてのコネクタカバー１を備えて携帯電話機２が構成されることにより、カバー外縁部の線を少なくでき、高いデザイン性を備えた携帯電話機とすることができる。
【００３１】
以上のように、本実施形態としてのコネクタカバー１では、ＩＯカバーとＨＪカバーとが一体構造とされており、それぞれ単独での使用、機能を確保しながら、同時に使用することもできるようになっている。
また、一体構造としたことで、小さなスペースでの実装が可能となり、カバー外縁部の分割ラインの削減や薄型といった効果が得られる。
このため、携帯電話機としてのデザイン性、商品性を向上させることができる。
【００３２】
また、このように、本実施形態としてのエラストマーカバーの取付構造によれば、ＩＯカバーとＨＪカバーを一体化してもそれぞれの機能を失うことなく、カバーがじゃまにならずに、使用することができる。
また、カバーが１つになったことで、ツメ（取付部１２）を実装するスペースが１箇所でよく、高密度実装が可能になる。さらに、カバー外縁部の分割ラインが減り、デザイン性、商品性を向上させることができる。
【００３３】
このように、本実施形態によれば、多様な形状のプラグに対応でき、かつ使用の邪魔にならないようにできる機能性と、コネクタカバーを１つで済ませることができ、複数のコネクタに対応するカバー外縁部の線を少なくできるデザイン性とを兼ね備えることができる。
【００３４】
なお、上述した各実施形態は本発明の好適な実施形態であり、本発明はこれに限定されることなく、本発明の技術的思想に基づいて種々変形して実施することが可能である。
例えば、本実施形態としてのコネクタカバー１を取り付ける装置は携帯電話機２として説明したが、このものに限定されず、例えばＰＤＡ（Personal Digital Assistant）やポータブルオーディオなど、各種の携帯端末装置に用いてよい。
【００３５】
また、カバー本体１１が被装するコネクタは２つであることとして説明したが、この数に限定されず、３つ以上であっても、図１３〜図１５のように開閉する構成とすることで、本発明を適用することができる。
【図面の簡単な説明】
【００３６】
【図１】本発明の実施形態としてのコネクタカバー１を示す６面図である。
【図２】該コネクタカバー１を示す斜視図である。
【図３】該コネクタカバー１を携帯電話機２に実装した例を示す６面図である。
【図４】該コネクタカバー１を取り付けてＩＯコネクタのみ使用する場合の平面図である。
【図５】同、斜視図である。
【図６】同、プラグが取り付けられた状態を示す斜視図である。
【図７】該コネクタカバー１を取り付けてＨＪコネクタのみ使用する場合の平面図である。
【図８】同、斜視図である。
【図９】同、プラグが取り付けられた状態を示す斜視図である。
【図１０】該コネクタカバー１を取り付けてＩＯコネクタおよびＨＪコネクタを使用する場合の平面図である。
【図１１】同、斜視図である。
【図１２】同、プラグが取り付けられた状態を示す斜視図である。
【図１３】カバー本体１１全体を開口させた状態を示す平面図である。
【図１４】同、斜視図である。
【図１５】同、２つのプラグが同時に取り付けられた状態を示す斜視図である。
【図１６】コネクタカバー１なしの状態を示す携帯電話機２の斜視図である。
【図１７】コネクタカバー１有りの状態を示す携帯電話機２の斜視図である。
【図１８】一般的な携帯端末におけるコネクタカバーを示す６面図である。
【図１９】同、斜視図である。
【図２０】一般的なコネクタカバーを携帯電話機に実装した例を示す６面図である。
【図２１】同、平面図である。
【符号の説明】
【００３７】
１    コネクタカバー
１１    カバー本体
１１１    ＩＯ被装部
１１２    ＩＯ折り曲げ部
１１３    支持部分
１１４    ＨＪ折り曲げ部
１１５    ＨＪ被装部
１２    取付部
２    携帯電話機
３    プラグ
３１    ＩＯプラグ
３２    ＨＪプラグ
【図１】
2009076360.tif 000003
【図２】
2009076360.tif 000004
【図３】
2009076360.tif 000005
【図４】
2009076360.tif 000006
【図５】
2009076360.tif 000007
【図６】
2009076360.tif 000008
【図７】
2009076360.tif 000009
【図８】
2009076360.tif 000010
【図９】
2009076360.tif 000011
【図１０】
2009076360.tif 000012
【図１１】
2009076360.tif 000013
【図１２】
2009076360.tif 000014
【図１３】
2009076360.tif 000015
【図１４】
2009076360.tif 000016
【図１５】
2009076360.tif 000017
【図１６】
2009076360.tif 000018
【図１７】
2009076360.tif 000019
【図１８】
2009076360.tif 000020
【図１９】
2009076360.tif 000021
【図２０】
2009076360.tif 000022
【図２１】
2009076360.tif 000023